(57)【要約】      （修正有）【課題】挿入孔間の距離が異なる各国のコンセントに適応させ、使用の利便性を高めると共に、アース端挿入端子を屈折させて収納でき、携帯の利便性を向上させた電源アダプターの構造を提供する。【解決手段】電源アダプターの構造は本体１、スライド動部品３、アース端挿入端子５を備える。アース端挿入端子の一端はスライド動部品の凹槽に可動状に設置され、これによりスライド動部品３はスライド状に導引槽１３に設置される。アース端挿入端子の位置を調整することで、挿入孔間の距離が異なるコンセントに対応できる。また、アース端挿入端子５、２個の電源挿入端子７、９を、それぞれ回転させて、導引槽１３及び２個の収容設置槽１１、１２に収納でき、これにより携帯の利便性が向上する。【選択図】図１
0003196443.tif 000002
【実用新案登録請求の範囲】
【請求項１】
電源アダプターの構造であって、本体、スライド動部品、アース端挿入端子、２個の電源挿入端子を備え、
前記本体の片側には、２個の収容設置槽を備え、前記２個の収容設置槽の間には、導引槽を備え、
前記スライド動部品は、スライド状に前記導引槽に設置され、
前記アース端挿入端子の一端は、前記スライド動部品に、可動状に設置され、
前記２個の電源挿入端子は、前記２個の収容設置槽内に、それぞれ可動状に設置され、
前記スライド動部品により、前記導引槽上で移動することで、前記アース端挿入端子の位置を調整し、しかも前記アース端挿入端子、前記２個の電源挿入端子を回転させることで、電源アダプター全体の体積を縮小できることを特徴とする電源アダプターの構造。
【請求項２】
前記導引槽と、相対する２個の側面の連通端とは、第三欠口、第四欠口をそれぞれ形成することを特徴とする請求項１に記載の電源アダプターの構造。
【請求項３】
前記導引槽は、第三欠口より内側へと延伸し、上方両側の頂点端位置限定部を設置し、
前記頂点端位置限定部の末端には、接触端位置限定部を形成することを特徴とする請求項１に記載の電源アダプターの構造。
【請求項４】
前記スライド動部品の導引槽に対応する一側面には、位置限定槽セットを設置し、
前記位置限定槽セットの末端には、位置限定槽係止部を形成することを特徴とする請求項１に記載の電源アダプターの構造。
【請求項５】
前記導引槽の底部にはさらに、凸接触位置限定部を設置し、
前記凸接触位置限定部は、前記位置限定槽セットと対応し、結合して係止することを特徴とする請求項３に記載の電源アダプターの構造。
【請求項６】
前記スライド動部品の内側には、凹槽を設置し、
前記凹槽内には、凹槽可動接続部を設置し、
前記凹槽可動接続部と、前記アース端挿入端子の１個の挿入端子可動接続部には、ピボットを通して設置し、相互に可動状に接続することを特徴とする請求項１に記載の電源アダプターの構造。
【請求項７】
前記２個の収容設置槽の内側には、２個の収容設置槽可動接続部を設置し、
前記２個の収容設置槽可動接続部と前記２個の電源挿入端子の２個の挿入端子可動接続部とは、対応してピボットを通し、それぞれ可動接続されることを特徴とする請求項１に記載の電源アダプターの構造。
【請求項８】
前記本体は、少なくとも1個の電気的連接ポートを備え、
前記少なくとも1個の電気的連接ポートは、ユニバーサル・シリアル・バスであることを特徴とする請求項１に記載の電源アダプターの構造。
【請求項９】
前記２個の電源挿入端子は、連接部品により、前記２個の収容設置槽可動接続と連結し、
これにより、前記２個の電源挿入端子は、一体に回転し屈折することを特徴とする請求項１に記載の電源アダプターの構造。
【考案の詳細な説明】
【技術分野】
【０００１】
本考案は、電源プラグに関し、特に電源アダプターの構造に関する。
【背景技術】
【０００２】
一般に、電源アダプター（Ｐｏｗｅｒ  ａｄａｐｔｅｒ）は、小型の携帯式電子設備、電子機器、電気製品の電源変換装置である。
それは通常は、外殻、電源変圧器、整流回路により組成される。
出力タイプに基づけば、交流出力型と直流出力型に分類され、連接方式に基づけば、壁面挿入式とデスクトップ式に分類され、電話機の子機、ゲーム機、ポータブル音楽プレーヤー、ノートＰＣ、携帯電話などのデバイスに幅広く応用されている。
【０００３】
壁面挿入式を例とするなら、電源アダプターは、複数の挿入端子を備える。
電源アダプターをコンセントに挿入すると、複数の挿入端子は、コンセントの複数の挿入孔と結合する。
安全性を考慮し、世界中どこであっても、コンセントには一般にアース端子が設置されている。
アース端子は、理論的には、地面など電位と接続する必要がある。
【０００４】
例えば、電気製品は、アース端子を通して、外殻から接地し、漏電を防ぎ、電気製品の損壊を防止する保護作用を備える。
他の挿入端子は、火線端子或いは中性端子などで、給電に用いられる。
【０００５】
各国はそれぞれに、コンセントの国内規格を規定しているため、各国のコンセントは、挿入孔の間隔距離に差異が存在し、アース端子と２個の電源端子との間の距離も統一されていない。
もし、アース端子と他の２個の電源端子との間の距離が過大或いは過小であれば、標準的なプラグはコンセントに対応できない。
【０００６】
一方、挿入端子を挿入孔にむりやり対応させれば、挿入端子が変形し、しかも端子の抜き差しに、多大な力を用いなければならなくなってしまう。
しかも深刻な場合には、挿入孔内に緊密に固定することで、電源アダプターのプラグが損壊することもあり得る。
【０００７】
さらに、挿入端子と挿入孔の対応が緩い場合には、電源のショートが起きる恐れもある。
そのため、電源アダプターの挿入端子とコンセントとの対応問題を改善し、使用の安全性と利便性を増進するかは、重要な課題である。
【考案の概要】
【考案が解決しようとする課題】
【０００８】
本考案の第一の目的は、アース端挿入端子を導引槽上で移動させてアース端挿入端子の位置を適当に調整することで、挿入孔間の距離が異なるコンセントに適応させ、使用の利便性を高めることができる電源アダプターの構造を提供することにある。
【０００９】
本考案の第二の目的は、アース端挿入端子は回転の機能を備えるため、アース端挿入端子を屈折させて収納でき、これにより携帯の利便性を向上させられる電源アダプターの構造を提供することにある。
【課題を解決するための手段】
【００１０】
本考案による電源アダプターの構造は、本体、スライド動部品、アース端挿入端子を備える。
該アース端挿入端子は、コンセントのアース端と電気的に連接する。
該本体の片側には、２個の収容設置槽を備え、該２個の収容設置槽の間には、導引槽を備える。
該スライド動部品は、スライド状に該導引槽に設置される。
該スライド動部品は、凹槽を備える。
該アース端挿入端子の一端は、該凹槽に可動状に設置される。
これにより、該アース端挿入端子は、該導引槽において移動でき、挿入孔間の距離が異なるコンセントに適用させられ、しかも該アース端挿入端子、２個の電源挿入端子を、コンセントと対応させることができる。
使用者が、電源アダプターを使用する必要がない時には、該アース端挿入端子、該２個の電源挿入端子は、それぞれ回転させて、該導引槽、該２個の収容設置槽内に入れられ、これにより携帯の利便性を向上させられる。
【００１１】
本考案の一実施形態において、本考案の電源アダプターの構造は、該導引槽と相対する２個の側面の連通端には、第三欠口と第四欠口をそれぞれ形成する。
本考案の一実施形態において、本考案の電源アダプターの構造は、該導引槽は、該第三欠口より内側へと延伸し、上方両側の頂点端位置限定部を設置し、該頂点端位置限定部の末端には、接触端位置限定部を形成する。
本考案の一実施形態において、本考案の電源アダプターの構造は、
該スライド動部品の導引槽に対応する一側面には、位置限定槽セットを設置し、該位置限定槽セットの末端には、位置限定槽係止部を形成する。
本考案の一実施形態において、本考案の電源アダプターの構造は、該スライド動部品の内側には、凹槽を設置し、該凹槽内には、凹槽可動接続部を設置し、該凹槽可動接続部と、該アース端挿入端子の１個の挿入端子可動接続部には、ピボットを通して設置する。
本考案の一実施形態において、本考案の電源アダプターの構造は、
該２個の収容設置槽の内側には、２個の収容設置槽可動接続部を設置し、該２個の収容設置槽可動接続部と該２個の電源挿入端子の２個の挿入端子可動接続部とは、対応してピボットを通し、それぞれ可動接続される。
本考案の一実施形態において、本考案の電源アダプターの構造は、該本体は、少なくとも1個の電気的連接ポートを備え、該少なくとも1個の電気的連接ポートは、ユニバーサル・シリアル・バス（ＵＳＢ）である。
【考案の効果】
【００１２】
本考案の電源アダプターの構造は、本体、スライド動部品、アース端挿入端子、２個の電源挿入端子を備え、アース端挿入端子をスライド動部品上に可動状に設置することで、アース端挿入端子は移動と回転の機能を兼ね備え、本体の導引槽上には、接触端位置限定部、頂点端位置限定部、凸接触位置限定部を設置し、スライド動部品の位置を調整して限定し、電源アダプターの挿入端子とコンセントとの対応問題を改善することができる。
また、本考案は間隔距離が異なるコンセントに用いることができ、特にアース端挿入孔の間隔距離に変化がある場合には、スライド動部品を直接調整してコンセントの間隔距離に対応させられ、これにより使用の利便性を増進できる。
さらに、アース端挿入端子と２個の電源挿入端子とは、導引槽と２個の収容設置槽においてそれぞれ回転し、携帯の利便性を高めることができる。
【図面の簡単な説明】
【００１３】
【図１】本考案の一実施形態による電源アダプターの構造の第一構造模式図である。
【図２Ａ】本考案の一実施形態による電源アダプターの構造の分解模式図である。
【図２Ｂ】本考案の一実施形態による電源アダプターの構造の本体の構造模式図である。
【図３】本考案の一実施形態による電源アダプターの構造とコンセントとの第一結合模式図である。
【図４】本考案の別種の実施形態による電源アダプターの構造の第二使用状態模式図である。
【図５】本考案の別種の実施形態による電源アダプターの構造とコンセントとの第二結合模式図である。
【図６】本考案のさらに別種の実施形態による電源アダプターの構造の第四使用状態模式図である。
【考案を実施するための形態】
【００１４】
本考案は、電源アダプターの挿入端子とコンセントの挿入孔との間隔距離の規格が合わない際に、使用不能となり、或いは無理に挿入することで安全性の問題が発生するという欠点に鑑み、電源アダプターの挿入端子とコンセントとの対応問題を改善するため、電源アダプターの構造を提供し、アース端挿入端子をスライド動部品上に可動状に設置することで、アース端挿入端子は移動と回転の機能を兼ね備え、２個の電源挿入端子を２個の収容設置槽に可動状に設置し、電源アダプターの挿入端子とコンセントとの対応問題を解決し、またアース端挿入端子、２個の電源挿入端子を、導引槽、及び２個の収容設置槽に収納し、携帯の利便性を向上させることができる。
【００１５】
（一実施形態）
本考案の一実施形態による電源アダプターの構造を図面に基づいて説明する。
図１に示すように、本考案の一実施形態による電源アダプターは、英国規格に対応するコンセントの電源アダプターの構造で、交流電源を直流電源に転換する。
本考案の一実施形態による電源アダプターの構造は、挿入孔の間隔距離が異なるコンセントに適用し、或いは挿入端子の位置を調整することで、コンセントとの間で対応を形成し、こうして使用の利便性と安全性を達成する。
【００１６】
本考案の一実施形態による電源アダプターの構造は、本体１を備える。
本体１は、操作ジャンクション１０、複数の側面１０Ａを備える。
操作ジャンクション１０は、第一収容設置槽１１、第二収容設置槽１２を備える。
第一、第二収容設置槽１１、１２の間には、導引槽１３を設置する。
本体１は、少なくとも１個の適当な側面１０Ａに、少なくとも１個の電気的連接ポート１４を設置する。
電気的連接ポート１４は、ユニバーサル・シリアル・バス（ＵＳＢ）或いは他の電源接続ポートであるが、これに限定しない。
【００１７】
第一、第二収容設置槽１１、１２は、相対して連通する２個の側面１０Ａの連通端と、それぞれ第一、第二欠口１５、１６を形成する。
導引槽１３と、相対する２個の側面１０Ａの連通端とは、第三、第四欠口１７、１８をそれぞれ形成する。
【００１８】
図２Ａに合わせて示すように、本体１上には、アース端挿入端子５を設置する。
アース端挿入端子５は、可動設置を呈し、屈折して、導引槽１３においてスライド移動する。
【００１９】
実施形態において、アース端挿入端子５一端は、スライド動部品３を連結して設置することができる。
スライド動部品３により、導引槽１３に、スライド状に設置される。
スライド動部品３は、凹槽３１を備える。
凹槽３１の内側には、凹槽可動接続部３３を設置する。
凹槽可動接続部３３には、ピボット３４を挿入して設置する。
【００２０】
アース端挿入端子５一端には、挿入端子可動接続部５１を備える。
挿入端子可動接続部５１は、凹槽可動接続部３３と対応し、ピボット３４を通して、挿入端子可動接続部５１及び凹槽可動接続部３３に挿入して設置する。
これにより、アース端挿入端子５は、凹槽３１内に可動状に設置される。
【００２１】
スライド動部品３の導引槽１３に対応する一側面（底面など）には、位置限定槽セット３５を設置する。
位置限定槽セット３５は、複数の位置限定槽により組成され、しかも位置限定槽セット３５の末端は、位置限定槽係止部３５Ａを形成する。
【００２２】
図２Ｂに合わせて示すように、本体１はさらに、２個の電源挿入端子７、９を備える。
２個の電源挿入端子７、９は、第一収容設置槽１１、第二収容設置槽１２にそれぞれ設置される。
電源挿入端子７、９一端には、挿入端子可動接続部７１、９１をそれぞれ設置する。
第一収容設置槽１１、第二収容設置槽１２上には、挿入端子可動接続部７１、９１に対応する収容設置槽可動接続部１１１、１１３をそれぞれ設置する。
【００２３】
さらに、ピボット７２、９２を、挿入端子可動接続部７１と収容設置槽可動接続部１１１、挿入端子可動接続部９１と収容設置槽可動接続部１１３との間に、それぞれ通して設置し、結合する。
これにより、電源挿入端子７、９は、第一、第二収容設置槽１１、１２にそれぞれ可動状に設置し、電源挿入端子７、９は、それぞれ独立して回転し屈折することができる。
【００２４】
他の実施形態においては、電源挿入端子７、９は、連接部品（図示なし）により、２個の収容設置槽１１、１２と可動状に接続して連結する。
連接部品の両側には、収容設置槽１１、１２と可動状に接続するピボットを備え、これにより電源挿入端子７、９は、一体に回転し屈折することができるが、これは従来の技術に属するため、詳述しない。
【００２５】
図１〜２Ｂに示すように、導引槽１３は、第三欠口１７より内側へと延伸し、上方両側の頂点端位置限定部１９を設置する。
頂点端位置限定部１９の末端には、接触端位置限定部２１を形成する。
頂点端位置限定部１９は、スライド動部品３の、Ｚ軸方向における離脱を防止することができる。
接触端位置限定部２１は、スライド動部品３が内部に収縮する時（Ｘ軸方向）の最終停止を提供する。
これにより、スライド動部品３の、第四欠口１８を通過した離脱を回避することができる。
【００２６】
導引槽１３底部にはさらに、凸接触位置限定部２３を設置する。
スライド動部品３の移動時、位置限定槽セット３５は、凸接触位置限定部２３と対応し、結合して係止し、スライド動部品３を定位する。
位置限定槽セット３５が、凸接触位置限定部２３に相対し、位置限定槽係止部３５Ａまで移動すると、スライド動部品３は、停止させられ、それ以上、第三欠口１７方向へと移動することができなくなり、スライド動部品３の、第三欠口１７からの離脱を防止することができる。
凸接触位置限定部２３と位置限定槽セット３５との設置は、導引槽１３の何らかの空間位置に限定するものではない。
【００２７】
図３に示すように、本実施形態の本体１は、第一コンセント４０に結合される。
上記したように、本実施形態は、英国規格のコンセントを例とする。
第一コンセント４０は、アース挿入孔４１、２個の電源挿入孔４２、４３を備える。
アース挿入孔４１と電源挿入孔４２（電源挿入孔４３）とは、第一間隔距離Ｄ１を備える。
【００２８】
第一間隔距離Ｄ１が分かると、好ましくは、アース端挿入端子５を適当な位置まで移動させる。
これにより、アース端挿入端子５は、電源挿入端子７（電源挿入端子９）に接近し、第一間隔距離Ｄ１に等しくなる。
こうして、アース端挿入端子５、電源挿入端子７、９は、各挿入孔中にそれぞれ挿入され、本体１と第一コンセント４０とは、電気的に連接する。
【００２９】
本実施形態は、電源コード５０により、少なくとも１個の電気的連接ポート１４（ＵＳＢなど）に電気的に連接し、電源コード５０により、電子装置に充電するが、これに限定するものではない。
【００３０】
（他の実施形態）
図３〜５に示すように、本考案の電源アダプターの構造１０の別種の実施形態では、第二コンセント６０の第二間隔距離Ｄ２が、第一コンセント４０の第一間隔距離Ｄ１より大きい時、従来の電源アダプター、或いはプラグは使用できない。
しかし、本実施形態は、前記した一実施形態の構造とは使用方式は異なるが、コンセントの複数の挿入孔間の距離の問題を、同様に克服することができる。
【００３１】
図２Ｂに合わせて示すように、本実施形態では、スライド動部品３を、導引槽１３に沿わせて第三欠口１７の外側方向へと移動させる。
こうして、アース端挿入端子５と電源挿入端子７（電源挿入端子９）との間隔距離を拡大し、本体１は、第二コンセント６０と結合することができる。
これにより、アース端挿入端子５、電源挿入端子７、９は、第二コンセント６０のアース挿入孔６１及び２個の電源挿入孔６２、６３にそれぞれ挿入される。
【００３２】
本実施形態は、間隔距離が異なるコンセントに応用でき、特に、アース端挿入孔の間隔距離が異なる場合には、スライド動部品３を直接調整し、コンセント間の距離に符合させられ、こうして使用の利便性を拡大することができる。
【００３３】
図６に示すように、本考案の電源アダプターの構造１０のさらに別種の実施形態は、上記した実施形態の構造と同様であるが、使用方式が異なる。
特に、アース端挿入端子５（スライド動部品３）を導引槽１３に沿わせて本体１に入れた後、さらにアース端挿入端子５を回転させて屈折させることができ、こうして、アース端挿入端子５は、導引槽１３内に収容される。
【００３４】
さらに、電源挿入端子７、９は折れて、第一収容設置槽１１、第二収容設置槽１２内に、それぞれ収納される。
こうして、電源アダプター全体の体積は縮小され、携帯の利便性を拡大することができる。
【００３５】
図２Ａ、Ｂに合わせて示すように、アース端挿入端子５が折れて、導引槽１３内に収納されると、アース端挿入端子５の端辺は、第四欠口１８外にやや突出する。
こうして、次に使用する際に、アース端挿入端子５を立てる操作の便をはかる。
同様に、電源挿入端子７、９が折れて、第一収容設置槽１１及び第二収容設置槽１２内にそれぞれ収納されると、電源挿入端子７、９の端辺は、第一欠口１５及び第二欠口１６外にやや突出する。
こうして、次に使用する際に、電源挿入端子７、９を立てる操作の便をはかる。
【００３６】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００３７】
１  本体
１０  操作ジャンクション
１０Ａ  側面
１１  第一収容設置槽
１１１  収容設置槽可動接続部
１１３  収容設置槽可動接続部
１２  第二収容設置槽
１３  導引槽
１４  電気的連接ポート
１５  第一欠口
１６  第二欠口
１７  第三欠口
１８  第四欠口
１９  頂点端位置限定部
２１  接触端位置限定部
２３  凸接触位置限定部
３  スライド動部品
３１  凹槽
３３  凹槽可動接続部
３４  ピボット
３５  位置限定槽セット
３５Ａ  位置限定槽係止部
４０  第一コンセント
４１  アース挿入孔
４２  電源挿入孔
４３  電源挿入孔
５  アース端挿入端子
５０  電源コード
５１  挿入端子可動接続部
６０  第二コンセント
６１  アース挿入孔
６２  電源挿入孔
６３  電源挿入孔
７  電源挿入端子
７１  挿入端子可動接続部
７２  ピボット
９  電源挿入端子
９１  挿入端子可動接続部
９２  ピボット
Ｄ１  第一間隔距離
Ｄ２  第二間隔距離
Ｘ  前向
Ｙ  横向
Ｚ  縦向
【図１】
0003196443.tif 000003
【図２Ａ】
0003196443.tif 000004
【図２Ｂ】
0003196443.tif 000005
【図３】
0003196443.tif 000006
【図４】
0003196443.tif 000007
【図５】
0003196443.tif 000008
【図６】
0003196443.tif 000009
【手続補正書】
【提出日】平成27年1月9日(2015.1.9)
【手続補正１】
【補正対象書類名】実用新案登録請求の範囲
【補正対象項目名】請求項５
【補正方法】変更
【補正の内容】
【請求項５】
前記導引槽の底部にはさらに、凸接触位置限定部を設置し、
前記凸接触位置限定部は、位置限定槽セットと対応し、結合して係止することを特徴とする請求項３に記載の電源アダプターの構造。
【手続補正２】
【補正対象書類名】実用新案登録請求の範囲
【補正対象項目名】請求項９
【補正方法】変更
【補正の内容】
【請求項９】
前記２個の電源挿入端子は、連接部品により、２個の収容設置槽可動接続と連結し、
これにより、前記２個の電源挿入端子は、一体に回転し屈折することを特徴とする請求項１に記載の電源アダプターの構造。